(57)【要約】【課題】蓋材を容器の口縁部に引っ掛けることにより入れ目線の位置を目視で明確に、かつ、すばやく判別可能にした容器の蓋材を提供すること。【解決手段】容器（２０）に被せる蓋材で、蓋材（１０）の天面（１１）に容器の口縁部（２１）に嵌め込む切れ込み（１２）が設けられ、この切れ込み（１２）は、天面の略中央に切れ込み線（ｋ）により先端が突出した凸状に設けられ、切れ込み線により形成された切れ込みの内側の引っ掛け部（１３）と、引っ掛け部の外側に広がる口縁部引っ掛け部分（１４）とから構成される。【選択図】図１
2008239192.tif 000002
【特許請求の範囲】
【請求項１】
容器に被せる蓋材であって、蓋材の天面に容器の口縁部に嵌め込むための切れ込みが設けられていることを特徴とする容器の蓋材。
【請求項２】
前記切れ込みは、蓋材天面の略中央に切れ込み線により先端が突出した略凸状に設けられ、
切れ込み線により形成された切れ込みの内側に設けられた引っ掛け部と、該引っ掛け部を形成する切れ込み線により引っ掛け部より外方に連続して形成された口縁部引っ掛け部とから構成されていることを特徴とする請求項１記載の容器の蓋材。
【請求項３】
前記切れ込みを形成する切れ込み線の両端は円形に形成されていることを特徴とする請求項１又は２記載の容器の蓋材。
【請求項４】
前記引っ掛け部には、容器に注ぎ込む液体の液量表示マークが設けられていることを特徴とする、請求項１、２又は３記載の容器の蓋材。
【請求項５】
前記引っ掛け部の先端は、蓋材を容器の口縁部に引っ掛けた際、内容液が触れるか触れないかの距離に位置することを特徴とする、請求項１、２、３又は４記載の容器の蓋材。
【発明の詳細な説明】
【技術分野】
【０００１】
本発明は、熱湯などを注ぎ込んで飲食する即席スープ等の加工済み食品を収納する容器に被せる蓋材に関するもので、特には熱湯や水の注ぎ込みの適正量を表現した液面高さ位置を示す入れ目線を周壁に設けた容器に被せる蓋材に関する。
【背景技術】
【０００２】
従来、熱湯や水などを注ぎ込んで飲食する即席スープ等の加工済み食品を収納する紙カップ等の容器においては、熱湯や水などの液体を注ぎ込みの適正量を示す入れ目線まで注ぎ入れた後、飲食していた。
【０００３】
そしてこの入れ目線は、一般的には、紙カップ等容器の周壁の適正な液面高さ位置に周壁を外方または内方に凸とした筋入れ加工を施して入れ目線としている。ところがこの筋状に施した入れ目線は判別しにくいもので、熱湯を入れ目線の上まで注入してしまうと、熱せられた汁等が容器からこぼれやすく、こぼれた汁等が手指等にふりかかると火傷をおこす危険性もあった。
【０００４】
一方、紙カップ等の容器に被せて使用する蓋材で、蓋材を容器に引っ掛けられるような機能を有する蓋材としては、例えば、図４に示すような蓋体（１０２）の外端部に係止片（１０５）が形成され、この係止片に対向して係止片に係合する摘み片（１０６）が形成された蓋材（特許文献１参照）や、図５に示すような蓋材（２０２）の摘み部（２０５）に引っ掛け部（２０６）が形成された蓋材（特許文献２参照）が知られている。
【０００５】
上記先行技術文献を示す。
【特許文献１】特開２００１−３１５８３５号公報。
【特許文献２】特開２００２−２１１６５６号公報。
【０００６】
しかしこれらの蓋材においては、容器に被せて使用する蓋材が容器に設けられた注ぎ込みの適正量を表現した液面高さ位置を示す入れ目線を指し示す機能は有していなかった。
【発明の開示】
【発明が解決しようとする課題】
【０００７】
本発明は、注ぎ込みの適正量を表現した液面高さ位置を示す入れ目線を備えた紙カップ等の容器に使用する蓋材に関する以上のような問題に鑑みてなされたもので、蓋材を容器の口縁部に引っ掛けることにより、入れ目線の位置が自動的に判別可能な容器の蓋材を提供することを課題とする。
【課題を解決するための手段】
【０００８】
本発明の請求項１の発明は、容器に被せる蓋材であって、蓋材の天面に容器の口縁部に嵌め込むための切れ込みが設けられていることを特徴とする容器の蓋材である。
【０００９】
このように請求項１記載の発明によれば、蓋の天面に容器の口縁部に嵌め込むための切れ込みが設けられているので、蓋材を容器から取り外した後、蓋材の切れ込みを容器の口縁部に嵌め込むことにより蓋材は容器から取り外した後も容器と一体にして置くことができる。
【００１０】
さらに、蓋材を容器に引っ掛けたとき、引っ掛け部の先端が入れ目線の位置を指し示すようにあらかじめ切れ込み線を設けておけば、蓋材を容器に引っ掛けた際、引っ掛け部が入れ目線の位置を示し、入れ目線が明確にすばやく判明でき、熱湯などを注ぎ込んでいても入れ目線まできたらすぐに熱湯などの注ぎ込みを中止することができ、入れ目線の上まで熱湯などを注ぎ込むことがなくなる。また、入れ目線の下側で注ぎ込みを止めてしまうこともなくなり、入れ目線まできたら注ぎ込みを止めることができ、常に適正量の液体を注ぎ込むことができる。
【００１１】
また、請求項２の発明は、請求項１の発明において、前記切れ込みは、蓋材天面の略中央に切れ込み線により先端が突出した略凸状に設けられ、切れ込み線により形成された切れ込みの内側に設けられた引っ掛け部と、該引っ掛け部を形成する切れ込み線により引っ掛け部より外方に連続して形成された口縁部引っ掛け部とから構成されていることを特徴とする容器の蓋材である。
【００１２】
このように請求項２記載の発明によれば、切れ込みは、切れ込みは、蓋材天面の略中央に切れ込み線により先端が突出した略凸状に設けられ、切れ込み線により形成された切れ込みの内側に設けられた引っ掛け部と、該引っ掛け部を形成する切れ込み線により引っ掛け部より外方に連続して形成された口縁部引っ掛け部とから構成されているので、蓋材を容器から取り外した後、蓋材の切れ込みを容器の口縁部に嵌め込むと、引っ掛け部は蓋材の天面の内側を介して容器の周壁の内面に接するように容器に挿入され、口縁部引っ掛け部は容器周縁部に接触して固定される。
【００１３】
また、請求項３の発明は、請求項１又は２の発明において、前記切れ込みを形成する切れ込み線の両端は円形に形成されていることを特徴とする容器の蓋材である。
【００１４】
このように請求項３記載の発明によれば、切れ込みを形成する切れ込み線の両端は円形に形成されているので、蓋材の切れ込みを容器の口縁部に嵌め込む動作を繰り返して行っても蓋材が先端や末端から割れたりすることがない。
【００１５】
また、請求項４の発明は、請求項１、２又は３の発明において、前記引っ掛け部には、容器に注ぎ込む液体の液量表示マークが設けられていることを特徴とする容器の蓋材である。
【００１６】
このように請求項４記載の発明によれば、蓋材の引っ掛け部には、容器に注ぎ込む液体の液量表示マークが設けられているので、蓋材を容器に嵌め込むときの嵌め込み高さを調整することにより、入れ目線が数段階（例えば、濃味、適量、薄味など）に分けて表示できる。
【００１７】
また、請求項５の発明は、請求項１、２、３又は４の発明において、前記引っ掛け部の先端は、蓋材を容器の口縁部に引っ掛けた際、内容液が触れるか触れないかの距離に位置することを特徴とする容器の蓋材である。
【００１８】
このように請求項５記載の発明によれば、引っ掛け部の先端は、蓋材を容器の口縁部に引っ掛けた際、内容液が触れるか触れないかの距離に位置するので、入れ目線にこだわることなく、適当な液量を指示してくれる。
【００１９】
さらに、容器の周壁に形成される入れ目線は、周壁の円周方向に全面形成されなくとも、１ｍｍ程度以上あれば、すばやく入れ目線の位置を探し出し容器の口縁部に蓋材を引っ掛けることができる。
【発明の効果】
【００２０】
このように本発明の容器の蓋材は、蓋材の切れ込みを容器に嵌め込んだ時、切れ込みの先端が液体の入れ目線を指し示すようにすることで、入れ目線を確実に、かつ、迅速に認識させることができ、熱湯などを注ぎ入れる際、入れ目線まで確実に液体を注ぎ込むことができ、入れ目線で間違いなく注ぎ入れを止めることができる。
【発明を実施するための最良の形態】
【００２１】
本発明を一実施形態に基づいて以下に詳細に説明する。
本発明の容器の蓋材（１０）は、例えば、図１〜図２に示すように、天面（１１）に容器の口縁部（２１）に嵌め込むための切れ込み（１２）が設けられた容器（２０）に被せる蓋材である。
【００２２】
また、切れ込み（１２）は、蓋材天面の略中央に切れ込み線（ｋ）により先端が突出した略凸状に設けられる。そして、切れ込み線（ｋ）により形成された切れ込みの内側に設けられた引っ掛け部（１３）と、この引っ掛け部を形成する切れ込み線（ｋ）により、引っ掛け部（１３）より外方に連続して形成された口縁部引っ掛け部分（１４）とから構成される。
【００２３】
切れ込み（１２）の形状は、図１に示したもの以外にも、例えば、図３（ａ）、（ｂ）に示した形状等が考えられる。
【００２４】
切れ込み（１２）を形成する切れ込み線（ｋ）は、容器の口縁部（２１）に無理なく引っ掛けることができるように概ね容器の口縁部の厚み程度の幅を持たせておく。また、切れ込み線（ｋ）の両端は、端部から割れることを防ぐため、円形に形成しておくと良い。
【００２５】
引っ掛け部分（１３）に、例えば、濃味、適量、薄味のような液量表示マーク（１５）をつけておくことにより、容器に注ぎ込むお湯などの液体の量を変えることができる。
【００２６】
容器の蓋材（１０）は、ポリスチレン樹脂等の熱可塑性樹脂シートを真空成形、圧空成形、真空圧空成形等の公知の成形法により作製することができる。また、板紙等の素材を用いてプレス成形法により作製することもできる。
【図面の簡単な説明】
【００２７】
【図１】本発明の容器の蓋材の一実施例を示す斜視説明図である。
【図２】図１の容器の蓋材を容器の口縁部に引っ掛けた状態の一実施例を示す斜視説明図である。
【図３】（ａ）、（ｂ）は切れ込みの別の実施例を示す平面説明図である。
【図４】従来の容器の蓋材の一例を示す斜視説明図である。
【図５】従来の容器の蓋材の別の一例を示す斜視説明図である
【符号の説明】
【００２８】
１０‥‥容器の蓋材
１１‥‥天面
１２‥‥切れ込み
１３‥‥引っ掛け部
１４‥‥口縁部引っ掛け部
１５‥‥液量表示マーク
２０‥‥容器
２１‥‥口縁部
２２‥‥周壁
１０２‥‥蓋体
１０５‥‥係止片
１０６‥‥摘み片
２０２‥‥蓋材
２０５‥‥摘み部
２０６‥‥引っ掛け部
ｋ‥‥切れ込み線
ｌ‥‥入れ目線
【図１】
2008239192.tif 000003
【図２】
2008239192.tif 000004
【図３】
2008239192.tif 000005
【図４】
2008239192.tif 000006
【図５】
2008239192.tif 000007